(57)【要約】      （修正有）【課題】温水マット同士の組み立てが自在であり、組立の便宜性を極大化した組立式温水マットを提供する。【解決手段】内部に温水が循環する経路を含む４つの側面を有する組立式温水マット１００であって、前記組立式温水マットの内部に形成されて複数の温水流路を提供する複数の温水通路、前記４つの側面にそれぞれ形成されて温水が流入する第１出入口、及び前記４つの側面にそれぞれ形成されて前記第１出入口と対をなし、温水が流出する第２出入口を含み、前記複数の第１出入口及び第２出入口は前記複数の温水通路と連結され、前記４つの側面のうち選択されたいずれか１つの第１出入口に流入した温水は、前記温水通路を経由して前記４つの側面のうち選択されたいずれか１つの第２出入口から排出される組立式温水マット。【選択図】図２
2019138615.tif 000002
【特許請求の範囲】
【請求項１】
異なる組立式温水マットと組み立て自在であり、内部に温水が循環する経路を含む４つの側面を有する組立式温水マットであって、
前記組立式温水マットの内部に形成されて複数の温水流路を提供する複数の温水通路；
前記４つの側面にそれぞれ形成されて温水が流入する第１出入口；及び
前記４つの側面にそれぞれ形成されて前記第１出入口と対をなし、温水が流出する第２出入口；を含み、
前記複数の第１出入口及び第２出入口は、前記複数の温水通路と連結され、前記４つの側面のうち選択されたいずれか１つの第１出入口に流入した温水は、前記温水通路を経由して前記４つの側面のうち選択されたいずれか１つの第２出入口から排出されることを特徴とする組立式温水マット。
【請求項２】
前記第１出入口及び第２出入口には、流路を開閉するための開閉弁が設けられることを特徴とする請求項１に記載の組立式温水マット。
【請求項３】
前記開閉弁は、拡張コネクタの結合によって流路が開放され、拡張コネクタの分離によって流路が閉鎖されることを特徴とする請求項２に記載の組立式温水マット。
【請求項４】
前記拡張コネクタを通じて異なる組立式温水マットの第１出入口の開閉弁、第２出入口の開閉弁の１つ以上と結合されることで、異なる組立式温水マットの温水通路の間に温水流路が連結されることを特徴とする請求項３に記載の組立式温水マット。
【請求項５】
前記複数の温水通路には、１つ以上のバイパス弁が設けられ、前記バイパス弁の開閉を通じて１つ以上の異なる温水流路を形成することを特徴とする請求項１に記載の組立式温水マット。
【請求項６】
前記バイパス弁はボール弁であり、前記組立式温水マットの上部に操作ハンドルまたはボタンが露出することを特徴とする請求項５に記載の組立式温水マット。
【請求項７】
前記温水通路は、前記組立式温水マットの内部に成形されている温水流路であることを特徴とする請求項５に記載の組立式温水マット。
【請求項８】
前記温水通路は、内部に温水流路が形成されているパイプであり、前記パイプが前記組立式温水マットの内部に埋め立てられていることを特徴とする請求項５に記載の組立式温水マット。
【請求項９】
前記パイプは、
第１側面に形成された第１出入口から第２側面の第２出入口まで延びて、パイプのうち最も長いメインパイプ；
第２側面の第１出入口から第４側面の第２出入口まで延設される第１バイパスパイプ；
第３側面の第１出入口から第１側面の第２出入口まで延設される第２バイパスパイプ；
前記第１側面に形成される第１出入口から一定距離離隔した地点で前記メインパイプと結合され、その結合地点から前記第４側面の第１出入口まで延設される第３バイパスパイプ；
前記第１バイパスパイプから分岐して前記第３側面の第２出入口まで延設される分岐パイプ；及び
前記パイプ同士を連結させる複数の連結パイプ；を含むことを特徴とする請求項８に記載の組立式温水マット。
【請求項１０】
前記複数の連結パイプは、
前記メインパイプと前記第２バイパスパイプとを連結させる第１連結パイプ；
前記メインパイプと前記第１バイパスパイプとを連結させる第２連結パイプ；
前記第１バイパスパイプと前記第２バイパスパイプとを連結させる第３連結パイプ；及び
前記分岐パイプと前記第２バイパスパイプとを連結させる第４連結パイプ；を含むことを特徴とする請求項９に記載の組立式温水マット。
【請求項１１】
前記複数のバイパス弁は、
前記メインパイプと前記第２バイパスパイプとの間の温水の流れを制御するために設けられる第１バイパス弁；
前記メインパイプと前記第１バイパスパイプとの間の温水の流れを制御するために設けられる第２バイパス弁；
前記第１バイパスパイプと前記第２バイパスパイプとの間の温水の流れを制御するために設けられる第３バイパス弁；
前記分岐パイプと前記第２バイパスパイプとの間の温水の流れを制御するために設けられる第４バイパス弁；
前記メインパイプと前記第３バイパスパイプとの間の温水の流れを制御するために設けられる第５バイパス弁；及び
前記分岐パイプと前記第１バイパスパイプとの間の温水の流れを制御するために設けられる第６バイパス弁；を含み、
それぞれのバイパス弁の開閉如何によって温水の循環経路が決定されることを特徴とする請求項１０に記載の組立式温水マット。
【発明の詳細な説明】
【技術分野】
【０００１】
本発明は、暖房可能な温水マットに関し、より詳しくは、組み立てることで拡張自在な組立式温水マットに関する。
【０００２】
本出願は、２０１８年２月１３日出願の韓国特許出願第１０−２０１８−００１７９７７号に基づく優先権を主張し、該当出願の明細書及び図面に開示された内容は、すべて本出願に援用される。
【背景技術】
【０００３】
オンドルは、床を温かくする韓国の伝統的な暖房方法であって、床下内部にパイプが設けられ、該パイプを通じて温水を循環させて床を温める。
【０００４】
このようなオンドルは初期構築に多くの費用がかかる。また、床工事が完了した場所にオンドルを設置するためには、初期費用より多くの費用が生じ得る。そこで、低い費用でオンドルを使用するため、温水マットが開発され市販されている。特許文献１は温水マットに関して開示している。
【０００５】
しかし、従来の温水マットは、ベッドマットレスまたは布団の形態であって、狭い空間でしか使用できないという空間上の制約がある。また、従来の温水マットはそれぞれが独立して動作して、空間拡張（すなわち、オンドル面積の拡張）が容易でないという問題点もある。
【先行技術文献】
【特許文献】
【０００６】
【特許文献１】韓国特許公開第１０−２０１４−００４９３９５号公報
【発明の概要】
【発明が解決しようとする課題】
【０００７】
本発明は、上記問題点に鑑みてなされたものであり、温水マット同士の組み立てが自在であって、組み立ての便宜性を極大化した組立式温水マットを提供することを目的とする。
【０００８】
本発明の他の目的及び長所は、下記する説明によって理解でき、本発明の実施例によってより明らかに分かるであろう。また、本発明の目的及び長所は、特許請求の範囲に示される手段及びその組合せによって実現することができる。
【課題を解決するための手段】
【０００９】
上記の課題を達成するため、本発明は、異なる組立式温水マットと組み立て自在であり、内部に温水が循環する経路を含む４つの側面を有する組立式温水マットであって、前記組立式温水マットの内部に形成されて複数の温水流路を提供する複数の温水通路；前記４つの側面にそれぞれ形成されて温水が流入する第１出入口；及び前記４つの側面にそれぞれ形成されて前記第１出入口と対をなし、温水が流出する第２出入口を含む組立式温水マットを提供する。
【００１０】
前記複数の第１出入口及び第２出入口は前記複数の温水通路と連結され、前記４つの側面のうち選択されたいずれか１つの第１出入口に流入した温水は、前記温水通路を経由して前記４つの側面のうち選択されたいずれか１つの第２出入口から排出できる。
【００１１】
前記第１出入口及び第２出入口には、流路を開閉するための開閉弁が設けられ得る。
【００１２】
前記開閉弁は、拡張コネクタの結合によって流路が開放され、拡張コネクタの分離によって流路が閉鎖され得る。
【００１３】
前記組立式温水マットは、前記拡張コネクタを通じて異なる組立式温水マットの第１出入口の開閉弁、第２出入口の開閉弁の１つ以上と結合され、それによって異なる組立式温水マットの温水通路の間に温水流路が連結できる。
【００１４】
前記複数の温水通路には、１つ以上のバイパス弁が設けられ、前記バイパス弁の開閉を通じて１つ以上の異なる温水流路を形成し得る。
【００１５】
前記バイパス弁はボール弁であり、前記組立式温水マットの上部に操作ハンドルまたはボタンが露出し得る。
【００１６】
前記温水通路は、前記組立式温水マットの内部に成形されている温水流路であり得る。
【００１７】
前記温水通路は、内部に温水流路が形成されているパイプであり、前記パイプが前記組立式温水マットの内部に埋め立てられ得る。
【００１８】
前記パイプは、第１側面に形成された第１出入口から第２側面の第２出入口まで延びて、パイプのうち最も長いメインパイプ；第２側面の第１出入口から第４側面の第２出入口まで延設される第１バイパスパイプ；第３側面の第１出入口から第１側面の第２出入口まで延設される第２バイパスパイプ；前記第１側面に形成される第１出入口から一定距離離隔した地点で前記メインパイプと結合され、その結合地点から前記第４側面の第１出入口まで延設される第３バイパスパイプ；前記第１バイパスパイプから分岐して前記第３側面の第２出入口まで延設される分岐パイプ；及び前記パイプ同士を連結させる複数の連結パイプを含み得る。
【００１９】
前記複数の連結パイプは、前記メインパイプと前記第２バイパスパイプとを連結させる第１連結パイプ；前記メインパイプと前記第１バイパスパイプとを連結させる第２連結パイプ；前記第１バイパスパイプと前記第２バイパスパイプとを連結させる第３連結パイプ；及び前記分岐パイプと前記第２バイパスパイプとを連結させる第４連結パイプを含み得る。
【００２０】
前記複数のバイパス弁は、前記メインパイプと前記第２バイパスパイプとの間の温水の流れを制御するために設けられる第１バイパス弁；前記メインパイプと前記第１バイパスパイプとの間の温水の流れを制御するために設けられる第２バイパス弁；前記第１バイパスパイプと前記第２バイパスパイプとの間の温水の流れを制御するために設けられる第３バイパス弁；前記分岐パイプと前記第２バイパスパイプとの間の温水の流れを制御するために設けられる第４バイパス弁；前記メインパイプと前記第３バイパスパイプとの間の温水の流れを制御するために設けられる第５バイパス弁；及び前記分岐パイプと前記第１バイパスパイプとの間の温水の流れを制御するために設けられる第６バイパス弁を含み得る。
【発明の効果】
【００２１】
本発明による組立式温水マットは、開閉弁の結合とバイパス弁の操作を通じて、専門家の助力がなくても、ユーザ自らが組み立てることができる。
【００２２】
また、本発明による組立式温水マットは、４つの側面のどの方向からも温水マット同士の組み立てが可能であるため、オンドル領域の拡張を容易にし、オンドル施工に発生する設置費用を最小化することができる。
【図面の簡単な説明】
【００２３】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【００２４】
【図１】本発明の一実施例による組立式温水マットの斜視図である。
【図２】本発明の一実施例による組立式温水マットの内部平面図である。
【図３】本発明の一実施例によって１つの組立式温水マットが用いられる場合、温水の流れとバイパス弁の状態を例示した図である。
【図４】本発明の一実施例によって２つの組立式温水マットが連結された場合、温水の流れと弁の開閉状態を示した図である。
【図５】本発明の一実施例によって４つの組立式温水マットが連結された場合、温水の流れを示した図である。
【図６】本発明の他の実施例によって４×３配列形態で組み立てられた温水マットにおける温水の流れを示した図である。
【発明を実施するための形態】
【００２５】
上述した目的、特徴及び長所は添付される図面を参照した以下の詳細な説明を通じてより明らかになるはずであり、それによって本発明が属する技術分野で通常の知識を持つ者が本発明の技術的思想を容易に実施できるであろう。また、本発明の説明において、本発明に関連する公知技術についての具体的な説明が本発明の要旨を不明瞭にし得ると判断される場合、その詳細な説明は省略する。以下、添付された図面を参照して本発明による望ましい一実施例を詳しく説明する。
【００２６】
図１は本発明の一実施例による組立式温水マットの斜視図であり、図２は本発明の一実施例による組立式温水マットの内部平面図である。
【００２７】
図１及び図２を参照すれば、本発明の一実施例による組立式温水マット１００は長方形の形態を有し、それぞれの側面に対を成して形成される複数の開閉弁１６１〜１６８、温水が通過して上面を温めるメインパイプ１１０、温水が迂回する通路を提供する複数のバイパスパイプ１２０、１３０、１４０、第１バイパスパイプ１２０の特定地点から上側面に延びる分岐パイプ１５０、パイプ同士の間の連結通路を形成する複数の連結パイプ１７１〜１７４及び複数のバイパス弁１８１〜１８６を含む。
【００２８】
前記組立式温水マット１００は、前記パイプを収容する上板及び下板を含むか、または、上板に取り付けられて安らぎを提供するシートをさらに含み得る。
【００２９】
前記メインパイプ１１０は、組立式温水マット１００の内部に形成される。前記メインパイプ１１０は、パイプのうち最も広い暖房面積を形成するパイプであって、Ｓ字型の蛇状に組立式温水マット１００の内部に形成することができる。前記メインパイプ１１０の一端は下側面（すなわち、第１側面）に位置し、前記メインパイプ１１０の他端は右側面（すなわち、第２側面）に形成される。前記メインパイプ１１０の両端には開閉弁１６２、１６３が結合される。
【００３０】
前記メインパイプ１１０と一定距離離隔した組立式温水マット１００の内部に第１バイパスパイプ１２０が形成される。第１バイパスパイプ１２０は温水を迂回させる通路として用いられるパイプであって、前記第１バイパスパイプ１２０の一端は右側面（すなわち、第２側面）に配置され、他端は左側面（すなわち、第４側面）に配置される。また、前記第１バイパスパイプ１２０は横軸と平行に組立式温水マット１００に配置される。また、第１バイパスパイプ１２０の両端に開閉弁１６４、１６７が結合される。
【００３１】
また、組立式温水マット１００の縦方向に縦断する第２バイパスパイプ１３０が組立式温水マット１００の内部に形成される。前記第２バイパスパイプ１３０は温水を迂回させる通路として用いられるパイプであって、前記第２バイパスパイプ１３０の一端は下側面（すなわち、第１側面）に配置され、他端は上側面（すなわち、第３側面）に配置される。また、前記第２バイパスパイプ１３０は縦軸と平行に組立式温水マット１００内に配置される。前記第２バイパスパイプ１３０の両端には開閉弁１６１、１６６が結合される。
【００３２】
前記メインパイプ１１０と連結され、左側面（すなわち、第４側面）に延びる第３バイパスパイプ１４０が組立式温水マット１００の内部に形成される。前記第３バイパスパイプ１４０は第２開閉弁１６２の結合部の近くで前記メインパイプ１１０と連結され、該連結地点を出発点にして延設される。さらに、前記第３バイパスパイプ１４０は、第４側面において第１バイパスパイプ１２０の第７開閉弁１６７の結合部の近くで、第８開閉弁１６８と結合されて延設が終わる。前記第３バイパスパイプ１４０は、他のパイプと違って、一端のみに第８開閉弁１６８が結合され、他端はメインパイプ１１０と連結される。
【００３３】
前記第２バイパスパイプ１３０及び第３バイパスパイプ１４０も温水の循環に用いられ、温水の循環経路の変更に用いられるパイプである。
【００３４】
一方、組立式温水マット１００には、第１バイパスパイプ１２０の特定地点で上側面（すなわち、第３側面）に延設される分岐パイプ１５０が形成される。前記分岐パイプ１５０は、第１バイパスパイプ１２０の温水の流れを他の方向に切り換えるパイプである。前記分岐パイプの終端には第５開閉弁１６５が結合される。
【００３５】
第３バイパスパイプ１４０を除き、他のパイプ同士の間には連結パイプ１７１〜１７４が結合されている。すなわち、メインパイプ１１０と第２バイパスパイプ１３０とは第１連結パイプ１７１を通じて相互連結されている。また、メインパイプ１１０と第１バイパスパイプ１２０とは第２連結パイプ１７２を通じて相互連結され、第１バイパスパイプ１２０と第２バイパスパイプ１３０とは第３連結パイプ１７３を通じて相互連結される。また、分岐パイプ１５０と第２バイパスパイプ１３０とは第４連結パイプ１７４を通じて相互連結される。
【００３６】
図２に示されたように、組立式温水マット１００のそれぞれの側面には一対の開閉弁１６１〜１６８が形成される。すなわち、第１側面には第１開閉弁１６１及び第２開閉弁１６２が形成され、第２側面には第３開閉弁１６３及び第４開閉弁１６４が形成され、第３側面には第５開閉弁１６５及び第６開閉弁１６６が形成され、第４側面には第７開閉弁１６７及び第８開閉弁１６８が形成される。それぞれの側面に形成された開閉弁の間隔は全て同じであることが望ましい。
【００３７】
前記開閉弁１６１〜１６８は、拡張コネクタ（図３の３１ａ、３１ｂ）と結合されれば内部通路が開放され、開閉弁１６１〜１６８が開放されれば温水が内部に流入するか又は外部に流出する。前記拡張コネクタ３１ａ、３１ｂは、パイプの長さを延長するための道具であって、温水が移動可能な空間が内部に形成されている。また、開閉弁１６１〜１６８は、前記拡張コネクタ３１ａ、３１ｂと分離されれば、パイプの内部通路を閉鎖して温水の流れを遮断する。
【００３８】
前記一対の開閉弁１６１〜１６８は、第１出入口開閉弁１６２、１６４、１６６、１６８と第２出入口開閉弁１６１、１６３、１６５、１６７とに区分される。同一側面に形成される開閉弁１６１〜１６８のうち、ある一方は温水流入口（又は温水流出口）として用いられ得、他方は温水流出口（又は温水流入口）として用いられ得る。同一側面に形成される第１出入口開閉弁１６２、１６４、１６６、１６８と第２出入口開閉弁１６１、１６３、１６５、１６７との間の間隔は全て同一であることが望ましい。前記第１出入口開閉弁１６２、１６４、１６６、１６８に拡張コネクタが連結されてパイプが開放されれば、異なる組立式温水マットまたは温水ボイラーからの温水がパイプに流入することができる。また、第２出入口開閉弁１６１、１６３、１６５、１６７に前記拡張コネクタが連結されてパイプが開放されれば、組立式温水マット１００からの温水が異なる組立式温水マット１００または温水ボイラーに流出することができる。前記開閉弁１６１〜１６８としては、クイックカップリング型弁を用いることができる。この場合、開閉弁１６１〜１６８にはメスカフラーを用い、前記開閉弁１６１〜１６８と結合される拡張コネクタ（図３の３１ａ及び３１ｂ）としてはオスカフラーを用いることができる。
【００３９】
一方、開閉弁１６１〜１６８は、組立式温水マット１００の側面から突出した形態で図示されたが、前記開閉弁１６１〜１６８の終端を組立式温水マット１００の外部に突出させずに隠れた形態で具現しても良い。
【００４０】
それぞれの連結パイプ１７１〜１７４には第１〜第４バイパス弁１８１〜１８４が設けられる。また、第１バイパスパイプ１２０と分岐パイプ１５０とが結合される結合地点に第６バイパス弁１８６が設けられる。前記第６バイパス弁１８６は、三方弁（ｔｈｒｅｅ ｗａｙ ｖａｌｖｅ）のような弁を採択することができる。メインパイプ１１０と第３バイパスパイプ１４０とが結合される地点には第５バイパス弁１８５が設けられる。
【００４１】
前記バイパス弁１８１〜１８６は、温水の流れを制御する弁であって、ボール弁を採用することができる。前記バイパス弁１８１〜１８６の開閉如何によって温水がどのパイプを通って循環するかが決定される。前記ボール弁の代りに、温水の流れを制御して、一定方向には温水の流れを遮断し、他の方向には温水を流せる多様な形態の弁が前記バイパス弁１８１〜１８６として用いられ得る。
【００４２】
図１に示されたように、各開閉弁１６１〜１６８の終端は組立式温水マット１００の側面に露出し、各バイパス弁１８１〜１８６の操作ハンドル（またはボタン）は組立式温水マット１００の上板に露出することができる。前記組立式温水マット１００の上板には、それぞれのバイパス弁１８１〜１８６の操作ハンドル（またはボタン）が収容される収容空間が凹状に設けられ、このように該当収容空間にバイパス弁１８１〜１８６の操作ハンドル（またはボタン）が配置されれば、ユーザは、何の異物感を感じることなく、組立式温水マットに楽に座るかまたは横になることができる。また、前記バイパス弁１８１〜１８６の操作ハンドル（またはボタン）を保護する保護カバーをバイパス弁１８１〜１８６の個数と対応させて前記組立式温水マット１００の上板にさらに設けることができる。前記保護カバーによって、ユーザの動きによってバイパス弁の開閉状態が変更されることを予め防止することができる。
【００４３】
一方、各パイプはホース配列を通じて組立式温水マット１００の内部に配置することができる。また、温水マットの上板及び／または下板に各パイプのパターンを成形し、パイプと上板及び／または下板とを一体化することもできる。この場合、前記メインパイプ１１０、バイパスパイプ１２０、１３０、１４０、連結パイプ１７１〜１７４、分岐パイプ１５０などのパイプ連結構造を有する配管パターンを前記上板及び／または下板に予め形成し、別途の配管作業を行わず、上板と下板との結合を通じて配管パターンを組立式温水マット１００内に形成することができる。
【００４４】
上述したように、本発明の実施例による組立式温水マット１００は、それぞれの側面に形成される開閉弁１６１〜１６８、内部パイプの構造及びバイパス弁１８１〜１８６の開閉によって、複数個を拡張結合して使用することができ、単一個数で使用することもできる。
【００４５】
図３〜図６を参照し、単一または複数の組立式温水マットが使用された場合の弁の状態と温水の流れについて説明する。
【００４６】
図３は、本発明の一実施例によって１つの組立式温水マットが用いられる場合、温水の流れとバイパス弁の状態を例示した図である。
【００４７】
図３を参照すれば、温水ボイラー１０の温水流入ホース２２と第２開閉弁１６２とが第２拡張コネクタ３１ｂを通じて連結され、温水流出ホース２１と第１開閉弁１６１とが第１拡張コネクタ３１ａを通じて連結される。
【００４８】
それによって、温水ボイラー１０で温められた温水は、第２開閉弁１６２を通じて組立式温水マット１００に流れ込み、内部を循環した後、第１開閉弁１６１を通じて流出して温水ボイラー１０に戻り、再び温められる。
【００４９】
図３では、下側面（すなわち、第１側面）に形成された第１開閉弁１６１及び第２開閉弁１６２のみが拡張コネクタ３１ａ、３１ｂと結合されて開放され、他の開閉弁（１６３〜１６８）は拡張コネクタと結合されず閉鎖状態を維持する。それによって、図３による組立式温水マット１００では第１側面のみを通じて温水が流入して流出する。
【００５０】
また、図３による組立式温水マット１００のバイパス弁のうち、第２バイパス弁１８２と第３バイパス弁１８３のみが開放され、他のバイパス弁（１８１、１８４、１８５）は閉鎖された状態を維持し、第６バイパス弁１８６は第１バイパスパイプ１２０と分岐パイプ１５０との間に温水が流れないように温水経路を形成する。このようなバイパス弁の開閉状態によって、温水ボイラー１０から供給された温水は第２開閉弁１６２、メインパイプ１１０、第２連結パイプ１７２、第１バイパスパイプ１２０、第３連結パイプ１７３及び第２バイパスパイプ１３０を循環した後、第１開閉弁１６１を通じて流出する。すなわち、１つの組立式温水マット１００を用いる場合、２つのバイパス弁１８２、１８３のみを開放し、温水が循環するように制御することができる。
【００５１】
図４は、本発明の一実施例によって２つの組立式温水マットが連結された場合、温水の流れと弁の開閉状態を示した図である。
【００５２】
図４を参照すれば、２つの組立式温水マット１００、２００が第３拡張コネクタ３１ｃ及び第４拡張コネクタ３１ｄを通じて相互連結される。具体的に、第１組立式温水マット１００の右側面（すなわち、第２側面）に形成された第３開閉弁１６３が第３拡張コネクタ３１ｃと結合され、第２組立式温水マット２００の左側面（すなわち、第４側面）に形成された第８開閉弁２６８も前記第３拡張コネクタ３１ｃと結合され、結果的に第１組立式温水マット１００のメインパイプ１１０と第２組立式温水マット２００の第３バイパスパイプ２４０との間に温水通路が形成される。また、第１組立式温水マット１００の右側面（すなわち、第２側面）に形成された第４開閉弁１６４が第４拡張コネクタ３１ｄと結合され、第２組立式温水マット２００の左側面（すなわち、第４側面）に形成された第７開閉弁２６７も前記第４拡張コネクタ３１ｄと結合され、結果的に第１組立式温水マット１００の第１バイパスパイプ１２０と第２組立式温水マット２００の第１バイパスパイプ２２０との間に拡張された温水通路が形成される。
【００５３】
図４の結合状態によって、第１組立式温水マット１００の右側面と第２組立式温水マット２００の左側面とが相互連結され、２つの組立式温水マット１００、２００を通じて温水が循環する。
【００５４】
また、図４による第１組立式温水マット１００のバイパス弁のうち第３バイパス弁１８３のみが開放され、第６バイパス弁１８６は第１バイパスパイプ１２０と分岐パイプ１５０との間に温水が流れないように温水経路を形成する。また、図４による第２組立式温水マット２００のバイパス弁のうち第２バイパス弁２８２及び第５バイパス弁２８５が開放され、他のバイパス弁は閉鎖された状態を維持し、第６バイパス弁２８６は第１バイパスパイプ２２０と分岐パイプ２５０との間に温水が流れないように温水経路を形成する。このようなバイパス弁の開閉状態によって、温水ボイラー１０から供給された温水は第１組立式温水マット１００の第２開閉弁１６２、メインパイプ１１０、第３開閉弁１６３、第３拡張コネクタ３１ｃ、第２組立式温水マット２００の第８開閉弁２６８、第３バイパスパイプ２４０、メインパイプ２１０、第２連結パイプ２７２、第１バイパスパイプ２２０、第７開閉弁２６７、第４拡張コネクタ３１ｄ、第１組立式温水マット１００の第４開閉弁１６４、第１バイパスパイプ１２０、第３連結パイプ１７３、第２バイパスパイプ１３０を循環した後、第１開閉弁１６１を通じて流出する。すなわち、２つの組立式温水マット１００を用いる場合、３つのバイパス弁１８３、２８２、２８５のみを開放し第６バイパス弁１８６、２８６の経路を形成して、温水が循環するように制御することができる。
【００５５】
図５は、本発明の一実施例によって４つの組立式温水マットが連結された場合、温水の流れを示した図である。
【００５６】
図５を参照すれば、４つの組立式温水マット１００、２００、３００、４００が８つの拡張コネクタ３１ｃ〜３１ｊを通じて相互連結される。
【００５７】
具体的に、第１組立式温水マット１００の右側面（すなわち、第２側面）に形成された第３開閉弁１６３が第３拡張コネクタ３１ｃと結合され、第２組立式温水マット２００の左側面（すなわち、第４側面）に形成された第８開閉弁２６８も前記第３拡張コネクタ３１ｃと結合され、結果的に第１組立式温水マット１００のメインパイプ１１０と第２組立式温水マット２００の第３バイパスパイプ２４０との間に拡張された温水通路が形成される。また、第１組立式温水マット１００の右側面（すなわち、第２側面）に形成された第４開閉弁１６４が第４拡張コネクタ３１ｄと結合され、第２組立式温水マット２００の左側面（すなわち、第４側面）に形成された第７開閉弁２６７も前記第４拡張コネクタ３１ｄと結合され、結果的に第１組立式温水マット１００の第１バイパスパイプ１２０と第２組立式温水マット２００の第１バイパスパイプ２２０との間に拡張された温水通路が形成される。
【００５８】
また、第２組立式温水マット２００の上側面（すなわち、第３側面）に形成された第５開閉弁２６５と第３組立式温水マット３００の下側面（すなわち、第１側面）に形成された第２開閉弁３６２とが第５拡張コネクタ３１ｅと結合され、第２組立式温水マット２００の分岐パイプ２５０と第３組立式温水マット３００のメインパイプ３１０との間に温水通路が連結される。さらに、第２組立式温水マット２００の上側面に形成された第６開閉弁２６６と第３組立式温水マット３００の下側面に形成された第１開閉弁３６１とが第６拡張コネクタ３１ｆを通じて相互結合され、第２組立式温水マット２００の第２バイパスパイプ２３０と第３組立式温水マット３００の第２バイパスパイプ３３０との間に温水通路が連結される。
【００５９】
第３組立式温水マット３００の左側面に形成された第７開閉弁３６７と第４組立式温水マット４００の右側面に形成された第４開閉弁４６４とが第８拡張コネクタ３１ｈを通じて相互結合され、第３組立式温水マット３００の第１バイパスパイプ３２０と第４組立式温水マット４００の第１バイパスパイプ４２０との間の温水通路が連結される。さらに、第３組立式温水マット３００の左側面に形成された第８開閉弁３６８と第４組立式温水マット４００の右側面に形成された第３開閉弁４６３とが第７拡張コネクタ３１ｇを通じて相互結合され、第３組立式温水マット３００の第３バイパスパイプ３４０と第４組立式温水マット４００のメインパイプ４１０との間に温水通路が連結される。
【００６０】
第４組立式温水マット４００の下側面に形成された第１開閉弁４６１と第１組立式温水マット１００の上側面に形成された第６開閉弁１６６とが第１０拡張コネクタ３１ｊを通じて相互結合され、第４組立式温水マット４００の第２バイパスパイプ４３０と第１組立式温水マット１００の第２バイパスパイプ１３０との間に温水通路が連結される。さらに、第４組立式温水マット４００の下側面に形成された第２開閉弁４６２と第１組立式温水マット１００の上側面に形成された第５開閉弁１６５とが第９拡張コネクタ３１ｉを通じて相互結合され、第４組立式温水マット４００のメインパイプ４１０と第１組立式温水マット１００の分岐パイプ１５０との間の温水通路が連結される。
【００６１】
また、図５による組立式温水マットの結合状態で、温水が循環するためにバイパス弁の開閉状態が設定される。すなわち、図５のような組み立て状態では、第１組立式温水マット１００のバイパス弁は全て閉鎖され、第２組立式温水マット２００のバイパス弁のうち第２バイパス弁２８２、第５バイパス弁２８５及び第６バイパス弁２８６が開放され、第６バイパス弁２８６は分岐パイプ２５０と第１バイパスパイプ２２０との間に流路が連結されるように温水経路を形成する。第３組立式温水マット３００のバイパス弁のうち第２バイパス弁３８２のみが開放され、第４組立式温水マット４００のバイパス弁のうち第１バイパス弁４８１及び第２バイパス弁４８２のみが開放される。
【００６２】
前記第３組立式温水マット３００の第６バイパス弁３８６と前記第４組立式温水マット４００の第６バイパス弁４８６とは、第１バイパスパイプ３２０、４２０の温水が他の経路（すなわち、分岐パイプ）に流れないように温水経路を形成する。
【００６３】
このようなバイパス弁の開閉状態によって、温水ボイラー１０から供給された温水は第１組立式温水マット１００の第２開閉弁１６２、メインパイプ１１０、第３開閉弁１６３、第３拡張コネクタ３１ｃ、第２組立式温水マット２００の第８開閉弁２６８、第３バイパスパイプ２４０、メインパイプ２１０、第２連結パイプ２７２、第１バイパスパイプ２２０、分岐パイプ２５０、第５開閉弁２６５、第５拡張コネクタ３１ｅ、第３組立式温水マット３００の第２開閉弁３６２、メインパイプ３１０、第２連結パイプ３７２、第１バイパスパイプ３２０、第７開閉弁３６７、第８拡張コネクタ３１ｈ、第４組立式温水マット４００の第４開閉弁４６４、第２連結パイプ４７２、メインパイプ４１０、第１連結パイプ４７１、第１開閉弁４６１、第１０拡張コネクタ３１ｊ、第１組立式温水マット１００の第６開閉弁１６６及び第２バイパスパイプ１３０を循環した後、第１開閉弁１６１を通じて流出する。すなわち、４つの組立式温水マット１００を用いる場合、６つのバイパス弁２８２、２８５、２８６、３８２、４８１、４８２のみを開放し経路を設定して、すべてのメインパイプ１１０、２１０、３１０、４１０を通じて温水が循環するように制御することができる。
【００６４】
一方、図５のマット結合構造から、温水が循環しない拡張コネクタは除去しても良い。すなわち、図５のような４つの組立式温水マットが結合された構造で、第４拡張コネクタ３１ｄ、第６拡張コネクタ３１ｆ、第７拡張コネクタ３１ｇ及び第９拡張コネクタ３１ｉは除去され得る。すなわち、温水の流れによって前記４つのコネクタ３１ｄ、３１ｆ、３１ｇ、３１ｉは必須な構成要素から省略しても良い。
【００６５】
図６は、本発明の他の実施例によって４×３配列形態に組み立てられた温水マットにおける温水の流れを示した図である。
【００６６】
図６を参照すれば、総１２個の組立式温水マットが複数の拡張コネクタを通じて組み立てられる。図６では温水が循環しない部分には拡張コネクタが設けられていないことが分かる。
【００６７】
図６による組立式温水マットの組み立て状態において、一部のバイパス弁が選択されて開放される。すなわち、図６のような組み立て状態では、第１組立式温水マット１００のバイパス弁は全て閉鎖され、第２組立式温水マット２００のバイパス弁のうち第５バイパス弁２８５のみが開放され、第３組立式温水マット３００のバイパス弁のうち第５バイパス弁３８５のみが開放され、第４組立式温水マット４００のバイパス弁のうち第２バイパス弁４８２及び第５バイパス弁４８５が開放され第６バイパス弁４８６の経路が変更される。また、第５組立式温水マット５００のバイパス弁のうち第１バイパス弁５８１及び第２バイパス弁５８２が開放され第６バイパス弁５８６の経路が変更され、第６組立式温水マット６００のバイパス弁のうち第１バイパス弁６８１及び第２バイパス弁６８２が開放され第６バイパス弁６８６の経路が変更され、第７組立式温水マット７００のバイパス弁のうち第１バイパス弁７８１及び第２バイパス弁７８２が開放され第６バイパス弁７８６の経路が変更され、第８組立式温水マット８００のバイパス弁のうち第２バイパス弁８８２が開放され第６バイパス弁８８６の経路が変更される。さらに、第９組立式温水マット９００のバイパス弁のうち第２バイパス弁９８２のみが開放され、第１０組立式温水マット１０００のバイパス弁のうち第２バイパス弁１０８２及び第３バイパス弁１０８３が開放され、第１１組立式温水マット１１００のバイパス弁のうち第２バイパス弁１１８２及び第３バイパス弁１１８３が開放され、第１２組立式温水マット１２００のバイパス弁のうち第２バイパス弁１２８２のみが開放される。
【００６８】
このようなバイパス弁の開閉状態によって、温水ボイラー１０から供給された温水は、第１組立式温水マット１００のメインパイプ、第２組立式温水マット２００の第３バイパスパイプ及びメインパイプ、第３組立式温水マット３００の第３バイパスパイプ及びメインパイプ、第４組立式温水マット４００の第３バイパスパイプ、メインパイプ、第１バイパスパイプ及び分岐パイプ、第８組立式温水マット８００のメインパイプ、第１バイパスパイプ及び分岐パイプ、第１２組立式温水マット１２００のメインパイプ及び第１バイパスパイプ、第１１組立式温水マット１１００のメインパイプ、第７組立式温水マット７００の分岐パイプ、第１バイパスパイプ、メインパイプ及び第２バイパスパイプ、第１１組立式温水マット１１００の第２バイパスパイプ、第１０組立式温水マット１０００のメインパイプ、第６組立式温水マット６００の分岐パイプ、第１バイパスパイプ、メインパイプ及び第２バイパスパイプ、第１０組立式温水マット１０００の第２バイパスパイプ、第９組立式温水マット９００のメインパイプ、第５組立式温水マット５００の分岐パイプ、第１バイパスパイプ及びメインパイプ、第１組立式温水マット１００の第２バイパスパイプを循環して温水ボイラー１０に戻る。
【００６９】
外にも多様な組み立て構造を本発明による組立式温水マットを通じて具現することができる。例えば、６×２、３×３、４×４など多様なマット連結構造がユーザの要求に応じて具現できる。
【００７０】
一方、それぞれの組立式温水マットが組み立てられれば、図３〜図６に示されたように、温水マット同士の間には所定の間隔が生じ得る。すなわち、コネクタが連結される過程で組立式温水マット同士の間に隙間が生じ得る。このような隙間はベルクロなどのような隙間埋め手段を用いて埋めることができる。
【００７１】
上述したように、本発明による組立式温水マットは、開閉弁の結合とバイパス弁の操作を通じて、専門家の助力がなくても、ユーザ自らが組み立てることができる。また、本発明による組立式温水マットは、４つの側面のどの方向からも温水マット同士の組み立てが可能であるため、オンドル領域の拡張を容易にし、オンドル施工に発生する設置費用を最小化することができる。
【００７２】
本明細書は多くの特徴を含むが、このような特徴が本発明の範囲または特許請求の範囲を制限すると解釈されてはならない。また、本明細書において、個別的な実施例で説明された特徴は単一実施例として結合して具現することができる。逆に、本明細書において、単一実施例として説明された多様な特徴は個別的に多様な実施例として具現するか、または、適切に結合して具現することができる。
【００７３】
以上のような本発明は、本発明が属する技術分野で通常の知識を持つ者が本発明の技術的思想から逸脱しない範囲内で様々に置換、変形及び変更できるため、上述した実施例及び添付された図面によって限定されるものではない。
【符号の説明】
【００７４】
１００  第１組立式温水マット
２００  第２組立式温水マット
３００  第３組立式温水マット
４００  第４組立式温水マット
５００  第５組立式温水マット
６００  第６組立式温水マット
７００  第７組立式温水マット
８００  第８組立式温水マット
９００  第９組立式温水マット
１０００  第１０組立式温水マット
１１００  第１１組立式温水マット
１２００  第１２組立式温水マット
１１０、２１０、３１０、４１０  メインパイプ
１２０、２２０、３２０、４２０  第１バイパスパイプ
１３０、２３０、３３０、４３０  第２バイパスパイプ
１４０、２４０、３４０  第３バイパスパイプ
１５０、２５０  分岐パイプ
１６１、３６１、４６１  第１開閉弁
１６２、３６２、４６２  第２開閉弁
１６３、４６３  第３開閉弁
１６４、４６４  第４開閉弁
１６５、２６５  第５開閉弁
１６６、２６６  第６開閉弁
１６７、２６７、３６７  第７開閉弁
１６８、２６８、３６８  第８開閉弁
１７１、４７１  第１連結パイプ
１７２、２７２、３７２、４７２  第２連結パイプ
１７３  第３連結パイプ
１７４  第４連結パイプ
１８１、４８１、５８１、６８１、７８１  第１バイパス弁
１８２、２８２、３８２、４８２、５８２、６８２、７８２、８８２、９８２、１０８２、１１８２、１２８２  第２バイパス弁
１８３、１０８３、１１８３  第３バイパス弁
１８４  第４バイパス弁
１８５、２８５、３８５、４８５  第５バイパス弁
１８６、２８６、３８６、４８６、５８６、６８６、７８６、８８６  第６バイパス弁
３１ａ  第１拡張コネクタ
３１ｂ  第２拡張コネクタ
３１ｃ  第３拡張コネクタ
３１ｄ  第４拡張コネクタ
３１ｅ  第５拡張コネクタ
３１ｆ  第６拡張コネクタ
３１ｇ  第７拡張コネクタ
３１ｈ  第８拡張コネクタ
３１ｉ  第９拡張コネクタ
３１ｊ  第１０拡張コネクタ
１０  温水ボイラー
２１  温水流出ホース
２２  温水流入ホース
【図１】
2019138615.tif 000003
【図２】
2019138615.tif 000004
【図３】
2019138615.tif 000005
【図４】
2019138615.tif 000006
【図５】
2019138615.tif 000007
【図６】
2019138615.tif 000008